(57)【特許請求の範囲】
【請求項１】
棒状に形成された発光体と、前記発光体を収容するソケットとを備えた発光体ユニットにおいて、
前記発光体は、
棒状に形成された基材と、前記基材の外周面に形成された第１電極層と、前記第１電極層と相対向する第２電極層と、前記第１電極層と前記第２電極層との間の発光層とを備え、
前記第１電極層は、前記基材の外周面及び前記基材の下側端面の全体を覆い、
前記第２電極層及び前記発光層は、前記第１電極層の外側に形成されて、前記基材の外周面のうち、該基材の軸方向における途中の部位から前記基材の上側端部までを覆い、
前記ソケットは、
前記発光体が挿着されるような筒状に形成された導電性のソケットケースと、
前記ソケットケースの下端に嵌合した絶縁板と、
前記絶縁板を貫通して前記第１電極層と接続する第１電源電極と、
前記ソケットケースの内周面に突設されて前記第２電極層と接続する第２電源電極とを備え、
前記ソケットケースには、前記基材の前記上側端部が該ソケットケースの上端から突出するように前記発光体が挿着されるとともに、前記ソケットケースの下端には該ソケットケースの周壁の一部が下側に延びるかたちに形成されて、該周壁を介して前記第２電源電極に接続される接続端子が設けられ、
前記第１電源電極は、
前記基材の一端部を脱着可能に挟持する挟持板を前記ソケットケースの内部に有し、前記絶縁板を介して下側へ延設され、
前記第２電源電極は、
前記ソケットケースの周方向の全体にわたり前記ソケットケースの軸心側に突出する凸曲面状に形成され、前記発光体が前記ソケットケースに対して挿脱されるときに前記第２電極層と摺接することを特徴とする発光体ユニット。
【請求項２】
請求項１に記載の発光体ユニットにおいて、
前記第１電極層は、前記発光層からの光を透過する光透過性の電極であり、
前記第２電極層は、前記発光層からの光を前記第１電極層側に反射する光反射性の電極であることを特徴とする発光体ユニット。
【請求項３】
請求項１に記載の発光体ユニットにおいて、
前記第１電極層は、前記発光層からの光を反射する光反射性の電極であり、
前記第２電極層は、前記発光層からの光を透過する光透過性の電極であることを特徴とする発光体ユニット。
【請求項４】
請求項１〜３のいずれか１つに記載の発光体ユニットにおいて、
前記第１電極層と前記第２電極層との間に、少なくとも正孔輸送層、正孔障壁層、電子輸送層、電子障壁層のいずれか１つを含むことを特徴とする発光体ユニット。
【発明の詳細な説明】
【技術分野】
【０００１】
本発明は、発光体ユニットに関する。
【背景技術】
【０００２】
従来、棒状の発光体には、ガラス管内に封入された希ガスの放電現象を利用した蛍光灯やネオン管等が知られている。しかし、放電現象を利用した発光体では、管内に封入した希ガスのプラズマ化に高い電圧を要するため、低消費電力化や小型化が困難であるといった問題を有していた。
【０００３】
そこで、近年では、発光部にエレクトロルミネッセンス素子（以下単に、ＥＬ素子という。）を有して、小型化や低消費電力化を可能にした棒状の発光体（以下単に、「ＥＬ棒」という。）が注目されている（例えば、特許文献１及び特許文献２）。
【特許文献１】特開平１１−２６５７８５号公報
【特許文献２】特開２００５−１０８６４３号公報
【発明の開示】
【発明が解決しようとする課題】
【０００４】
ところで、照明装置や表示装置等の電気光学装置では、一般的に、蛍光灯等の発光体を複数有して、各種照明条件や表示画像に応じて、所定の発光体のみを点灯させるようにしている。そのため、各蛍光灯の使用時間が使用環境に応じて変動し、各蛍光灯の不点灯（寿命）を迎えるタイミングが、蛍光灯毎に異なるようになる。そこで、蛍光灯等を利用した電気光学装置では、装置本体に取付ける各蛍光灯を着脱可能にして、蛍光灯毎の交換を可能にし、その利便性の向上を図っている。
【０００５】
しかしながら、上記ＥＬ棒では、装置本体とＥＬ棒との間の機械的な接続構成が開示されていないため、ＥＬ棒毎の交換が困難となって、その利便性を損なう問題があった。こうした問題は、既存のソケットに対応した公知の口金をＥＬ棒側に設けることによって回避可能と考えられる。しかし、ＥＬ棒に公知の口金等を設けると、口金や、口金とＥＬ棒との間の配線、さらには配線を形成するための複雑な配線工程等が必要となる。ひいては、ＥＬ棒を製造するための部材点数や製造工程の増加を招いて、ＥＬ棒の生産性を損なう虞があった。
【０００６】
本発明は、上記問題を解決するためになされたものであり、その目的は、エレクトロルミネッセンス素子を備えた棒状発光体を有して、その生産性を損なうことなく発光体の交換を可能にした発光体ユニットを提供することである。
【課題を解決するための手段】
【０００７】
本発明の発光体ユニットは、棒状に形成された発光体と、前記発光体を収容するソケットとを備えた発光体ユニットにおいて、前記発光体は、棒状に形成された基材と、前記基材の外周面に形成された第１電極層と、前記第１電極層と相対向する第２電極層と、前記第１電極層と前記第２電極層との間の発光層とを備え、前記第１電極層は、前記基材の外周面及び前記基材の下側端面の全体を覆い、前記第２電極層及び前記発光層は、前記第１電極層の外側に形成されて、前記基材の外周面のうち、該基材の軸方向における途中の部位から前記基材の上側端部までを覆い、前記ソケットは、前記発光体が挿着されるような筒状に形成された導電性のソケットケースと、前記ソケットケースの下端に嵌合した絶縁板と、前記絶縁板を貫通して前記第１電極層と接続する第１電源電極と、前記ソケットケースの内周面に突設されて前記第２電極層と接続する第２電源電極とを備え、前記ソケットケースは、前記基材の前記上側端部が該ソケットケースの上端から突出するように前記発光体が挿着されるとともに、前記ソケットケースの下端には該ソケットケースの周壁の一部が下側に延びるかたちに形成されて、該周壁を介して前記第２電源電極に接続される接続端子が設けられ、前記第１電源電極は、前記基材の一端部を脱着可能に挟持する挟持板を前記ソケットケースの内部に有し、前記絶縁板を介して下側へ延設され、前記第２電源電極は、前記ソケットケースの周方向の全体にわたり前記ソケットケースの軸心側に突出する凸曲面状に形成され、前記発光体が前記ソケットケースに対して挿脱されるときに前記第２電極層と摺接する。
【０００８】
本発明の発光体ユニットによれば、第１電源電極の挟持板が基材の一端部を脱着可能に保持するだけで、第１電源電極と第１電極層を電気的に接続することができる。従って、基材の一端部に口金や配線等を取付けることなく、発光体を交換することができる。すなわち、発光体の部材点数や生産工程数の増加を回避することができ、生産性を損なうこと無く、発光体の交換を可能にすることができる。
【００１０】
また、この発光体ユニットによれば、第１電源電極の挟持板が基材の一端部を保持するだけで、第１電極層及び第２電極層を、それぞれ第１電源電極及び第２電源電極に電気的に接続することができる。そして、基材の一端部を第１電源電極から取り外すだけで、第１電極層及び第２電極層を、それぞれ第１電源電極及び第２電源電極から離間することができる。従って、発光体の交換を、より容易にすることができる。
【００１１】
さらにまた、この発光体ユニットによれば、ソケットケースの第２電源電極が、基材の第２電極層と摺接するだけで、第２電極層を第２電源電極に電気的に接続することができる。そして、基材の一端部及び第２電極層を、それぞれ第１及び第２電源電極から取り外すだけで、第１電極層及び第２電極層を、それぞれ第１電源電極及び第２電源電極から離間することができる。従って、発光体の交換を、より容易にすることができる。
【００１２】
この発光体ユニットにおいて、前記第１電極層は、前記発光層からの光を透過する光透過性の電極であり、前記第２電極層は、前記発光層からの光を前記第１電極層側に反射する光反射性の電極であってもよい。
【００１３】
この発光体ユニットによれば、基材の外表面に第１電極層を有することによって、発光層からの光を、前記基材の軸方向外側にのみ出射させることができる。あるいは、基材の内表面に第１電極層を有することによって、発光層からの光を、前記基材の径方向外側に出射させることができる。従って、軸方向外側あるいは径方向外側への輝度を向上した発光体ユニットに関して、その発光体の交換を容易にすることができる。
【００１４】
この発光体ユニットにおいて、前記第１電極層は、前記発光層からの光を反射する光反射性の電極であり、前記第２電極層は、前記発光層からの光を透過する光透過性の電極であってもよい。
【００１５】
この発光体ユニットによれば、基材の外表面に第１電極層を有することによって、発光層からの光を、前記基材の径方向外側に出射させることができる。あるいは、基材の内表面に第１電極層を有することによって、発光層からの光を、前記基材の軸方向外側にのみ出射させることができる。従って、軸方向外側あるいは径方向外側への輝度を向上した発光体ユニットに関して、その発光体の交換を容易にすることができる。
【００１６】
この発光体ユニットにおいて、前記第１電極層と前記第２電極層との間に、少なくとも正孔輸送層、正孔障壁層、電子輸送層、電子障壁層のいずれか１つを含む構成にしてもよい。
【００１７】
この発光体ユニットによれば、少なくとも正孔輸送層、正孔障壁層、電子輸送層、電子障壁層のいずれか１つを含む発光体の交換を容易にすることができる。
【発明を実施するための最良の形態】
【００１８】
以下、本発明を具体化した一実施形態を図１〜図５に従って説明する。
図１に示すように、発光体ユニットとしての表示装置１０には、四角板状の表示パネル
１１が備えられて、表示パネル１１の一側面（表示面）１１ａには格子状に配列された複数のソケット１２と、各ソケット１２に挿着された発光体としての複数のエレクトロルミネッセンス棒（以下単に、「ＥＬ棒」という。）１３が備えられている。
【００１９】
図２に示すように、各ソケット１２には、それぞれアルミニウム等の導電性部材で形成された有底筒状のソケットケース１４が備えられている。
各ソケットケース１４の内周面１４ｓには、その全周方向にわたってソケットケース１４の軸心Ｃ側に突出する断面凸曲面状の第２電源電極としての陰極端子１５が形成されている。陰極端子１５は、ＥＬ棒１３がソケット１２に挿入されるときに、その表面がＥＬ棒１３の外周面（後述する陰極層２４：図３参照）と摺接可能なサイズで形成されている。
【００２０】
各ソケットケース１４の底部１４Ｂには、ソケットケース１４の軸心Ｃを中心軸とする円形孔１４ｈが形成されて、底部１４Ｂの外側には、外方に延びる接続端子１６が一体形成されている。そして、この接続端子１６が、図示しない電源装置の共通電極に電気的に接続されて、各ソケットケース１４の全体、すなわち前記陰極端子１５が共通電位となる。
【００２１】
各ソケットケース１４の底部１４Ｂには、それぞれ円板状に形成された絶縁板１７が嵌合されている。絶縁板１７の中心位置には、前記円形孔１４ｈよりも小さい径からなる嵌合孔１７ｈが形成されて、その嵌合孔１７ｈには、有頭ピン状に形成されて第１電源電極を構成する陽極端子１８が、ソケットケース１４の内側から外側に向かって延びるように嵌合されている。そして、この陽極端子１８が、図示しない電源装置の対応する信号電極に電気的に接続されて、表示データに基づくデータ信号が、対応する陽極端子１８に供給されるようになっている。
【００２２】
ソケットケース１４の内側には、前記陽極端子１８の頭部と前記絶縁板１７との間に挟持されて第１電源電極を構成する一対の挟持板１９が、表示面１１ａ側に延びるように取付けられている。
【００２３】
図３に示すように、ＥＬ棒１３は、軸心Ｃを中心軸とする円柱棒状に形成された基材としての支持棒２０を有している。支持棒２０は、無アルカリガラス等の透明無機材料、あるいはポリエチレンテレフタレート、ポリエチレンナフタレート、ポリプロピレン、ポリメチルメタクリレート等の透明樹脂材料によって形成されている。そして、ＥＬ棒１３がソケット１２に挿入されると、支持棒２０の一端部（挟入部）２０Ｂが、前記一対の挟持板１９に着脱自在に挟持されて、ＥＬ棒１３が、ソケット１２に保持されるようになっている。
【００２４】
その支持棒２０の外表面（外周面）２０ｓには、軸心Ｃ側から順に、第１電極層としての陽極層２１、正孔輸送層２２、発光層２３、第２電極層としての陰極層２４が積層されている。
【００２５】
陽極層２１は、仕事関数の高い光透過性の導電材料（例えば、ＩＴＯ（Ｉｎｄｉｕｍ−Ｔｉｎ−Ｏｘｉｄｅ）等）で形成される透明電極であって、支持棒２０の外周面２０ｓ及び挟入部２０Ｂの全体を覆うように積層されている。陽極層２１は、前記光透過性の導電材料を利用した蒸着法やスパッタ法等の気相プロセスによって形成してもよく、あるいは前記光透過性の導電材料を含む液状体に支持棒２０を浸漬する液相プロセスを利用し、外周面２０ｓ及び挟入部２０Ｂの全体に形成した液状膜を乾燥することによって陽極層２１を形成するようにしても良い。そして、ＥＬ棒１３をソケット１２に挿入して、支持棒２０の挟入部２０Ｂを前記一対の挟持板１９に挟持させると、挟入部２０Ｂに対応する陽極
層２１の領域が前記陽極端子１８の頭部に接触して、陽極端子１８と陽極層２１とが電気的に接続されるようになっている。
【００２６】
尚、陽極層２１は、ＥＬ棒１３をソケット１２に着脱するとき、すなわち挟入部２０Ｂを覆う陽極層２１を一対の挟持板１９及び陽極端子１８に対して摺動させるときに、その陽極層２１が、支持棒２０から剥離しない程度の膜密度や膜厚によって形成されている。
【００２７】
正孔輸送層２２は、陽極層２１の外周面全体にわたって均一な膜厚で積層された有機層であって、正孔輸送層材料としてのポリ（３，４−エチレンジオキシチオフェン）（以下単に、「ＰＥＤＯＴ」という。）で形成されて、対応する陽極層２１からの正孔を発光層２３まで輸送するようになっている。
【００２８】
正孔輸送層２２は、陽極層２１を有した支持棒２０を、前記「ＰＥＤＯＴ」を含む液状体に浸漬して引き出し、前記陽極層２１の外周面に堆積した液状膜を乾燥することによって形成されている。尚、正孔輸送層２２は、前記「ＰＥＤＯＴ」に限らず、以下に示す公知の低分子系又は高分子系の正孔輸送層材料を利用することができ、低分子系の正孔輸送層材料を用いる場合には、公知の蒸着法等の気相プロセスによって正孔輸送層２２を形成してもよい。
【００２９】
低分子系の正孔輸送層材料としては、ベンジジン誘導体、トリフェニルメタン誘導体、フェニレンジアミン誘導体、スチリルアミン誘導体、ヒドラゾン誘導体、ピラゾリン誘導体、カルバゾール誘導体、ポルフィリン化合物等を利用することができる。高分子系の正孔輸送層材料としては、上記低分子構造を一部に含む（主鎖あるいは側鎖にする）高分子化合物、あるいはポリアニリン、ポリチオフェンビニレン、ポリチオフェン、α−ナフチルフェニルジアミン、「ＰＥＤＯＴ」とポリスチレンスルホン酸との混合物（Ｂａｙｔｒｏｎ  Ｐ、バイエル社商標）、トリフェニルアミンやエチレンジアミン等を分子核とした各種デンドリマー等を利用することができる。
【００３０】
発光層２３は、正孔輸送層２２の外周面全体にわたって均一な膜厚で積層された有機層であって、発光層材料としてのフルオレン−ジチオフェンコポリマー（以下単に、「Ｆ８Ｔ２」という。）で形成されて、対応する正孔輸送層２２からの正孔と、対応する陰極層２４からの電子が注入されるように構成されている。
【００３１】
発光層２３は、正孔輸送層２２を有した支持棒２０を前記「Ｆ８Ｔ２」を含む液状体に浸漬して引き出し、正孔輸送層２２の外周面に堆積した液状膜を乾燥することによって形成されている。尚、発光層２３は、前記「Ｆ８Ｔ２」に限らず、以下に示す公知の低分子系又は高分子系の発光層材料を利用することができ、低分子系の発光層材料を用いる場合には、公知の蒸着法等の気相プロセスによって発光層２３を形成してもよい。
【００３２】
低分子系の発光層材料としては、シクロペンタジエン誘導体、テトラフェニルブタジエン誘導体、トリフェニルアミン誘導体、オキサジアゾール誘導体、ジスチリルベンゼン誘導体、チオフェン環化合物、ピリジン環化合物、ペリノン誘導体、ペリレン誘導体、クマリン誘導体物、アルミキノリノール錯体、ベンゾキノリノールベリリウム錯体、ベンゾオキサゾール亜鉛錯体、ベンゾチアゾール亜鉛錯体、アゾメチル亜鉛錯体、ポルフィリン亜鉛錯体、ユーロピウム錯体等の金属錯体等を利用することができる。高分子系の発光層材料としては、ポリパラフェニレンビニレン誘導体、ポリパラフェニレン誘導体、ポリシラン誘導体、ポリアセチレン誘導体、ポリチオフェン誘導体、ポリビニルカルバゾール、ポリフルオレノン誘導体、ポリキノキサリン誘導体、ポリビニレンスチレン誘導体、及びそれらの共重合体、トリフェニルアミンやエチレンジアミン等を分子核とした各種デンドリマー等を利用することができる。
【００３３】
陰極層２４は、仕事関数の低い導電性材料（例えば、Ａｇ、Ｃｕ、Ａｌ等の金属元素単体）によって発光層２３の外周面を覆うように積層された光反射性電極であって、前記発光層２３からの光を支持棒２０の径方向内側（軸心Ｃ側）に反射するようになっている。この陰極層２４は、前記光反射性の導電材料を利用した蒸着法やスパッタ法等の気相プロセスによって形成してもよく、あるいは前記導電材料を含む液状体に支持棒２０を浸漬する液相プロセスを利用して、外周面２０ｓ及び挟入部２０Ｂの全体を覆う液状膜を乾燥することによって形成するようにしても良い。そして、ＥＬ棒１３がソケット１２に挿入されると、陰極層２４が前記陰極端子１５に接触して、陰極端子１５と陰極層２４を電気的に接続するようになっている。
【００３４】
尚、陰極層２４は、ＥＬ棒１３をソケット１２に着脱するとき、すなわち陰極層２４を陰極端子１５に対して摺動させるときに、その陰極層２４が、支持棒２０（発光層２３）から剥離しない程度の膜密度や膜厚によって形成されている。
【００３５】
そして、所定の表示データ（例えば、表示面１１ａに文字「Ｅ」を表示するための表示データ）に基づくデータ信号が電源装置から各陽極端子１８に入力される。すると、各ＥＬ棒１３の陽極層２１と陰極層２４との間にデータ信号と共通電位の電位差に対応する電位が印加されて、各ＥＬ棒１３の発光層２３が、それぞれデータ信号に応じた輝度の光Ｌ（図４参照）を出射する。各発光層２３がデータ信号に応じた光Ｌを出射すると、発光層２３から出射された光Ｌの殆どは、図４に示すように、光反射性の陰極層２４によって軸心Ｃ側に反射されて、ＥＬ棒１３内の内部反射を経て、軸心Ｃ方向の表示面１１ａ側に出射される。そして、図１に示すように、発光したＥＬ棒１３によって、表示面１１ａ上に文字「Ｅ」が表示される。
【００３６】
続いて、ＥＬ棒１３を長期間にわたって使用し、ＥＬ棒１３の輝度が所定の値以下に低下する、あるいは不点灯になると、ＥＬ棒１３の表示面１１ａ側を把持して、図５に示すように、挟入部２０Ｂを挟持板１９から抜脱する。これによって、陽極層２１及び陰極層２４を、それぞれ陽極端子１８及び陰極端子１５から離間させることができ、ＥＬ棒１３をソケット１２から取り外すことができる。
【００３７】
そして、新しいＥＬ棒１３をソケット１２に挿入して、ＥＬ棒１３の挟入部２０Ｂを一対の挟持板１９に挟入すると、ＥＬ棒１３の陽極層２１及び陰極層２４が、それぞれ陽極端子１８及び陰極端子１５に接触して電気的に接続される。これによって、口金や配線等を要することなく、ＥＬ棒１３を抜差しするだけで、ＥＬ棒１３を交換することができる。
【００３８】
次に、上記のように構成した本実施形態の効果を以下に記載する。
（１）上記実施形態によれば、支持棒２０の外周面２０ｓ及び挟入部２０Ｂに、その全体を覆う陽極層２１を形成した。そして、ＥＬ棒１３をソケット１２に挿入すると、支持棒２０の挟入部２０Ｂが一対の挟持板１９に挟持されて、挟入部２０Ｂに対応する陽極層２１の領域が陽極端子１８の頭部に接触し、陽極端子１８と陽極層２１とが電気的に接続されるようにした。
【００３９】
従って、ＥＬ棒１３をソケット１２に挿入し、挟持板１９に挟入部２０Ｂを挟持させるだけで、陽極層２１と陽極端子１８を電気的に接続することができる。その結果、口金や配線等を要することなく、ＥＬ棒１３を交換可能にすることができる。
【００４０】
（２）上記実施形態によれば、各ソケットケース１４の内周面１４ｓに、全周方向にわたって突出する断面凸曲面状の陰極端子１５を形成した。そして、ＥＬ棒１３をソケット
１２に挿入すると、陰極層２４が陰極端子１５の表面を摺動して、陰極層２４と陰極端子１５とが電気的に接続されるようにした。
【００４１】
従って、ＥＬ棒１３をソケット１２に挿入するだけで、陰極層２４と陰極端子１５を、確実に電気的に接続することができる。その結果、陰極層２４と陰極端子１５を接続するための配線等を要することなく、より簡単な構成でＥＬ棒１３の交換を交換可能にすることができる。
【００４２】
（３）上記実施形態によれば、支持棒２０及び陽極層２１を光透過性部材で形成し、陰極層２４を光反射性部材で形成した。従って、ＥＬ棒１３の内部反射によって、発光層２３の出射した光Ｌを軸心Ｃ方向の外側に出射することができる。その結果、ＥＬ棒１３の長さ分だけ、軸心Ｃ方向外側に出射する光Ｌの輝度を向上することができる。
【００４３】
（４）上記実施形態によれば、発光層２３の陽極層２１側に正孔輸送層２２を形成するようにした。従って、陽極層２１からの正孔の輸送効率を向上することができ、正孔輸送層２２を形成した分だけ、発光層２３からの光Ｌの輝度を向上することができる、あるいは発光層２３を長寿命化することができる。
【００４４】
尚、上記実施形態は以下のように変更してもよい。
・上記実施形態では、支持棒２０を絶縁材料で形成し、支持棒２０の外周面２０ｓに陽極層２１を形成する構成にした。これに限らず、支持棒２０を導電部材で形成し、支持棒２０の外表面を陽極層２１とする構成にしてよい。これによれば、陽極層２１を別途形成する必要が無く、ＥＬ棒１３の構成を、より簡単にすることができる。
・上記実施形態では、陽極端子１８と挟持板１９を別部材で構成したが、これら陽極端子１８と挟持板１９を一体形成して、挟持板１９に電源装置の信号電極を接続する構成にしてもよい。
【００４５】
・上記実施形態の参考例を図６に示す。該参考例とは、ＥＬ棒１３の他端側（挟入部２０Ｂと相対向する側）に、第２電源電極としての一対の挟持板２９を設け、その挟持板２９を陰極端子とする構成である。すなわち、挟持板２９を図示しない電源装置の共通電極に電気的に接続し、挟持板２９がＥＬ棒１３の他端側を挟持することによって、ＥＬ棒１３の外表面（陰極層２４）を共通電位にする構成である。尚、この際、表示装置１０は、ＥＬ棒１３の径方向に出射される光を利用する構成が好ましい。
・上記実施形態では、支持棒２０の外周面２０ｓ側から順に、陽極層２１、正孔輸送層２２、発光層２３及び陰極層２４を形成する構成にした。これに限らず、例えば、外周面２
０ｓ側から順に、陰極層２４、発光層２３、正孔輸送層２２及び陽極層２１を形成する構成にしてもよい。これによれば、発光層２３からの光を支持棒２０の径方向外側にのみ出射することができ、その光の輝度を向上することができる。
・上記実施形態では、ＥＬ棒１３の外表面を陰極層２４で構成した。これに限らず、例えば、陰極層２４の外表面の殆どを、ガスバリヤ性を有した無機あるいは有機高分子膜からなる封止層で覆う構成にしてもよい。あるいは、陰極層２４を２層構造で構成して、外表面をガスバリヤ性の金属箔で覆う構成にしてもよい。これによれば、ＥＬ棒１３を構成する陽極層２１、正孔輸送層２２、発光層２３及び陰極層２４の酸化等による劣化を回避することができる。
・上記実施形態では、支持棒２０を円柱棒状に具体化したが、これに限らず、チューブ状であってもよく、断面が楕円形状や矩形状であってもよい。
【００４６】
さらには、支持棒２０をチューブ状に具体化して、陽極層２１、正孔輸送層２２、発光層２３及び陰極層２４を、支持棒２０の内表面に形成する構成であってもよい。これによれば、ガスバリヤ性を有した支持棒２０利用することによって、上記封止層等を形成することなく、正孔輸送層２２や発光層２３の酸化等による劣化を回避することができる。
・上記実施形態では、発光層形成材料を有機系高分子あるいは有機系低分子によって構成した。これに限らず、例えば発光層形成材料を、ＺｎＳ／ＣｕＣｌ、ＺｎＳ／ＣｕＢｒ、ＺｎＣｄＳ／ＣｕＢｒ等の無機分子で構成してもよい。この際、当該発光層形成材料を有機バインダーに分散させて発光層形成液Ｌ３を形成する構成が好ましい。尚、有機バインダーには、シアノエチルセルロース、シアノエチルスターチ、シアノエチルプルラン等の多糖類のシアノエチル化物、シアノエチルヒドロキシエチルセルロース、シアノエチルグリセロールプルラン等の多糖類誘導体のシアノエチル化物、シアノエチルポリビニルアルコール等のポリオール類のシアノエチル化物等が挙げられる。
・上記実施形態では、発光層２３を一層のみ形成する構成にした。これに限らず、例えば発光層２３と電荷発生層からなるユニットを複数積層した、いわゆるマルチフォトン構造であってもよい。
・上記実施形態では、陽極層２１に正孔輸送層２２を積層する構成にした。これに限らず、例えば正孔輸送層２２を省略する構成にしてもよく、あるいは陽極層２１と正孔輸送層２２との間に、発光層２３への正孔の注入効率を高めるための正孔注入層を形成する構成にしてもよい。
・上記実施形態では、正孔輸送層２２に発光層２３を積層する構成にした。これに限らず、例えば正孔輸送層２２と発光層２３との間に、電子の移動を抑制する電子障壁層を形成する構成にしてもよい。
・上記実施形態では、発光層２３に陰極層２４を積層する構成にした。これに限らず、例えば発光層２３と陰極層２４との間に、陰極層２４から注入された電子を発光層２３まで輸送する電子輸送層を形成する構成にしてもよい。あるいは、発光層２３と対応する電子輸送層との間に、正孔の移動を抑制する正孔障壁層を形成する構成にしてもよい。
【図面の簡単な説明】
【００４７】
【図１】本発明を具体化した表示装置を示す概略斜視図。
【図２】同じく、ソケットを示す概略断面図。
【図３】同じく、ＥＬ棒及びソケットを示す概略断面図。
【図４】同じく、ＥＬ棒及びソケットを説明する説明図。
【図５】同じく、ＥＬ棒及びソケットを説明する説明図。
【図６】参考例における、ＥＬ棒及びソケットを示す概略断面図。
【符号の説明】
【００４８】
１０…発光体ユニットとしての表示装置、１２…ソケット、１３…発光体としてのＥＬ棒、１５…第２電源電極としての陰極端子、１８…第１電源電極を構成する陽極端子、１９…第１電源電極を構成する挟持板、２０…基材としての支持棒、２０Ｂ…一端部としての挟入部、２１…第１電極層としての陽極層、２２…正孔輸送層、２３…発光層、２４…第２電極層としての陰極層、２９…第２電源電極としての挟持板、Ｌ…光。
【図１】
0004613762.tif 000002
【図２】
0004613762.tif 000003
【図３】
0004613762.tif 000004
【図４】
0004613762.tif 000005
【図５】
0004613762.tif 000006
【図６】
0004613762.tif 000007